(57)【要約】【課題】運転時本体内からの結露水がフロントパネルの開口部から浴室内に落下し人に当たって不快感を与えることを目的とする。【解決手段】プレート熱交換器１３と給水口１２からプレート熱交換器１３および二次熱交換器１０と流量制御弁との間の銅管とを開口の一側面側に設けたという構成にしたことにより、プレート熱交換器１３と給水口１２からプレート熱交換器１３および二次熱交換器１０と流量制御弁との間の銅管に生じる結露水が化粧パネルの開口部を除いた一側面側に落下するので、運転時本体内からの結露水が浴室内に落下せず人に不快感を与えない浴室暖房乾燥機を得られる。【選択図】図３
2015055422.tif 000002
【特許請求の範囲】
【請求項１】
本体ケース内に、空気を吸い込むモータと結合したファンと、前記ファンで吸い込まれた空気を本体ケース内で温めて温風として送風する一次熱交換器と、破砕モータの作動に基づいて貯水部に貯留された水を細かな水粒に破砕するとともに該水粒で前記一次熱交換器から送風される温風を加湿する加湿ユニットと、加湿された温風から水粒を除去する気液分離装置と、前記気液分離装置から送風される温風を再加熱して本体ケースの送気口から送風する二次熱交換器と、浴室内に細かな水滴を吹き出すノズルと、熱源機からの温水の熱と給水口からの上水の熱とを交換するプレート熱交換器と、前記プレート熱交換器と前記貯水部との間に電磁弁と定流量弁を設け、前記プレート熱交換器から前記熱源機および前記給水口および前記二次熱交換器および前記貯水部および前記ノズルおよび前記電磁弁との間および前記二次熱交換器から流量制御弁を介して前記熱源機との間および前記熱源機から熱動弁と前記一次熱交換器とを介して前記熱源機との間に銅管と、前記本体ケースの底面を覆う開口部を備えた化粧パネルとを備えた液体微細化装置において、前記プレート熱交換器と前記給水口から前記プレート熱交換器および前記二次熱交換器と前記流量制御弁との間の前記銅管とを前記開口の一側面側に設けたことを特徴とする浴室暖房乾燥機。
【請求項２】
プレート熱交換器と銅管との下方に、結露水を貯水部に導く樹脂製の逃がし部を設けたことを特徴とする請求項１に記載の浴室暖房乾燥機。
【請求項３】
逃がし部を、開口部上に設けた落下結露水受板と結露水が流れる方向を規制するリブとで構成することを特徴とする請求項２に記載の浴室暖房乾燥機。
【発明の詳細な説明】
【技術分野】
【０００１】
本発明は、加湿機能を有した浴室暖房乾燥機に関するものである。
【背景技術】
【０００２】
例えば、加湿機能を有した浴室暖房乾燥機の一例としてサウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた微細化手段とを備え、前記微細化手段は、給水管から液体を噴射させる構成となっていた（例えば特許文献１参照）。
【先行技術文献】
【特許文献】
【０００４】
【特許文献１】特開２０１２−１５２３０８号公報
【発明の概要】
【発明が解決しようとする課題】
【０００５】
このような従来の浴室暖房乾燥機においては、運転時本体内からの結露水がフロントパネルの開口部から浴室内に落下し人に当たって不快感を与える、という課題を有していた。
【０００６】
そこで本発明は、上記従来の課題を解決するものであり、運転時本体内からの結露水が浴室内に落下せず人に不快感を与えない浴室暖房乾燥機を提供することを目的とする。
【課題を解決するための手段】
【０００７】
そして、この目的を達成するために、本発明は、浴本体ケース内に、空気を吸い込むモータと結合したファンと、前記ファンで吸い込まれた空気を本体ケース内で温めて温風として送風する一次熱交換器と、破砕モータの作動に基づいて貯水部に貯留された水を細かな水粒に破砕するとともに該水粒で前記一次熱交換器から送風される温風を加湿する加湿ユニットと、加湿された温風から水粒を除去する気液分離装置と、前記気液分離装置から送風される温風を再加熱して本体ケースの送気口から送風する二次熱交換器と、浴室内に細かな水滴を吹き出すノズルと、熱源機からの温水の熱と給水口からの上水の熱とを交換するプレート熱交換器と、前記プレート熱交換器と前記貯水部との間に電磁弁と定流量弁を設け、前記プレート熱交換器から前記熱源機および前記給水口および前記二次熱交換器および前記貯水部および前記ノズルおよび前記電磁弁との間および前記二次熱交換器から流量制御弁を介して前記熱源機との間および前記熱源機から熱動弁と前記一次熱交換器とを介して前記熱源機との間に銅管と、前記本体ケースの底面を覆う開口部を備えた化粧パネルとを備えた液体微細化装置において、前記プレート熱交換器と前記給水口から前記プレート熱交換器および前記二次熱交換器と前記流量制御弁との間の前記銅管とを前記開口の一側面側に設けたこととしたものであり、これにより所期の目的を達成するものである。
【発明の効果】
【０００８】
本発明によれば、本体ケース内に、空気を吸い込むモータと結合したファンと、前記ファンで吸い込まれた空気を本体ケース内で温めて温風として送風する一次熱交換器と、破砕モータの作動に基づいて貯水部に貯留された水を細かな水粒に破砕するとともに該水粒で前記一次熱交換器から送風される温風を加湿する加湿ユニットと、加湿された温風から水粒を除去する気液分離装置と、前記気液分離装置から送風される温風を再加熱して本体ケースの送気口から送風する二次熱交換器と、浴室内に細かな水滴を吹き出すノズルと、熱源機からの温水の熱と給水口からの上水の熱とを交換するプレート熱交換器と、前記プレート熱交換器と前記貯水部との間に電磁弁と定流量弁を設け、前記プレート熱交換器から前記熱源機および前記給水口および前記二次熱交換器および前記貯水部および前記ノズルおよび前記電磁弁との間および前記二次熱交換器から流量制御弁を介して前記熱源機との間および前記熱源機から熱動弁と前記一次熱交換器とを介して前記熱源機との間に銅管と、前記本体ケースの底面を覆う開口部を備えた化粧パネルとを備えた液体微細化装置において、前記プレート熱交換器と前記給水口から前記プレート熱交換器および前記二次熱交換器と前記流量制御弁との間の前記銅管とを前記開口の一側面側に設けたという構成にしたことにより、プレート熱交換器と給水口からプレート熱交換器および二次熱交換器と流量制御弁との間の銅管に生じる結露水が化粧パネルの開口部を除いた一側面側に落下することとなるので、運転時本体内からの結露水が浴室内に落下せず人に不快感を与えない、という効果を得ることができる。
【図面の簡単な説明】
【０００９】
【図１】本発明の実施の形態１の浴室暖房乾燥機の外観を示す斜視図
【図２】同浴室暖房乾燥機の全体の内部構成を示す斜視図
【図３】同浴室暖房乾燥機の一部の内部構成を示す斜視図
【図４】同浴室暖房乾燥機の化粧パネルを示す斜視図
【図５】同浴室暖房乾燥機の逃がし部を示す斜視図
【発明を実施するための形態】
【００１０】
本発明の請求項１記載の浴室暖房乾燥機は、本体ケース内に、空気を吸い込むモータと結合したファンと、前記ファンで吸い込まれた空気を本体ケース内で温めて温風として送風する一次熱交換器と、破砕モータの作動に基づいて貯水部に貯留された水を細かな水粒に破砕するとともに該水粒で前記一次熱交換器から送風される温風を加湿する加湿ユニットと、加湿された温風から水粒を除去する気液分離装置と、前記気液分離装置から送風される温風を再加熱して本体ケースの送気口から送風する二次熱交換器と、浴室内に細かな水滴を吹き出すノズルと、熱源機からの温水の熱と給水口からの上水の熱とを交換するプレート熱交換器と、前記プレート熱交換器と前記貯水部との間に電磁弁と定流量弁を設け、前記プレート熱交換器から前記熱源機および前記給水口および前記二次熱交換器および前記貯水部および前記ノズルおよび前記電磁弁との間および前記二次熱交換器から流量制御弁を介して前記熱源機との間および前記熱源機から熱動弁と前記一次熱交換器とを介して前記熱源機との間に銅管と、前記本体ケースの底面を覆う開口部を備えた化粧パネルとを備えた液体微細化装置において、前記プレート熱交換器と前記給水口から前記プレート熱交換器および前記二次熱交換器と前記流量制御弁との間の前記銅管とを前記開口の一側面側に設けたという構成を有する。これにより、プレート熱交換器と給水口からプレート熱交換器および二次熱交換器と流量制御弁との間の銅管に生じる結露水が化粧パネルの開口部を除いた一側面側に落下することとなるので、運転時本体内からの結露水が浴室内に落下せず人に不快感を与えない、という効果を奏する。
【００１１】
また、プレート熱交換器と銅管との下方に、結露水を貯水部に導く樹脂製の逃がし部を設けた、という構成にしてもよい。これにより、プレート熱交換器と銅管とで発生した結露水が一定の量を超えるとの下方に落下し逃がし部に接触して伝わって貯水部へ落下することとなるので、プレート熱交換器と銅管とからの落下した結露水を浴室内に落下せず貯水部へ確実に導くことができる、という効果を奏する。
【００１２】
また、逃がし部を、開口部上に設けたリブとする、という構成にしてもよい。これにより、結露水がリブに規制されて開口部に落下せず貯水部へ導くこととなるので、結露水を確実に貯水部へ導くことができる、という効果を奏する。
【００１３】
以下、本発明の実施の形態について図面を参照しながら説明する。
【００１４】
（実施の形態１）
図１および図２に示すように、方形状の本体ケース１内に、空気を吸い込むＤＣモータ２の両軸のそれぞれに結合したファン３（ここではシロッコタイプ）と、ファン３で吸い込まれた空気を本体ケース１内で温めて温風として送風する車等に採用されているフィンタイプの一次熱交換器４と、ＤＣタイプの破砕モータ５の作動に基づいてミスト貯水部６に貯留された水を細かな水粒に破砕するとともに該水粒で一次熱交換器４から送風される温風を加湿する加湿ユニット７と、加湿された温風から水粒を除去するエルミネーターである気液分離装置８と、気液分離装置８から送風される温風を再加熱して本体ケース１の送気口９から送風する二次熱交換器１０（一次熱交換器４と同構成）と、浴室（図示せず）内に細かな水滴を吹き出すスプラッシュタイプのノズル１１と、熱源機（図示せず）からの温水の熱と給水口１２からの上水の熱とを交換するプレートタイプのプレート熱交換器１３と、プレート熱交換器１３とミスト貯水部６との間に電磁弁１４と定流量弁１５を設け、プレート熱交換器１３から熱源機および給水口１２および二次熱交換器およびミスト貯水部６およびノズル１１および電磁弁１４との間および二次熱交換器１０から流量制御弁１６を介して熱源機との間および熱源機から熱動弁１７と一次熱交換器４とを介して熱源機との間に銅管１８と、本体ケース１の底面を覆う、中央に開口部１９を備えた化粧パネル２０とを備え、プレート熱交換器１３と給水口１２からプレート熱交換器１３および二次熱交換器１０と流量制御弁１６との間の銅管１８とを開口部１９の一側面側に設けた（すなわち、開口部１９の周囲の一側面）構成とする。
【００１５】
このような構成にすることで、プレート熱交換器１３と給水口１２からプレート熱交換器１３および二次熱交換器１０と流量制御弁１６との間の銅管１８に生じる結露水が凝縮してある程度の大きさになり化粧パネル２０の開口部１９を除いた一側面側に落下する。
【００１６】
よって、運転時（例えば、ミスト運転や暖房運転や乾燥運転やカビ抑制運転等）本体内からの結露水が浴室内に落下せず人に不快感を与えないという効果を奏することとなる。
【００１７】
また、プレート熱交換器１３と銅管１８との下方に、結露水を貯水部２２に導く例えば安価で成形性の良いＡＢＳ製の樹脂製の逃がし部２１を設けた、という構成にする。
【００１８】
このような構成にすることで、プレート熱交換器１３と銅管１８とで発生した結露水が凝縮して結露水の大きさが例えば銅管１８の表面張力に対して重力が勝った場合である一定の量を超えるとの下方に落下し逃がし部２１に接触して伝わってミスト貯水部６へ落下する。
【００１９】
よって、プレート熱交換器１３と銅管１８とからの落下した結露水を浴室内に落下せず貯水部へ確実に導くことができる。
【００２０】
また、逃がし部２１を、開口部１９上に設けた落下結露水受板２４と結露水が流れる方向を規制するリブ２３とで構成する。
【００２１】
このような構成にすることで、結露水が落下結露水受板２４に落下し一部はリブ２３の方向に向うがリブ２３に接触して規制され開口部１９に落下せず貯水部２２の方向へ導かれる。
【００２２】
よって、結露水を確実に貯水部へ導くことができる、ということとなる。
【産業上の利用可能性】
【００２３】
本発明にかかる浴室暖房乾燥機は、運転時本体内からの結露水が浴室内に落下せず人に不快感を与えないことを可能とするものであるので、エアコン等の空気調和機等として有用である。
【符号の説明】
【００２４】
１    本体ケース
２    ＤＣモータ
３    ファン
４    一次熱交換器
５    破砕モータ
６    ミスト貯水部
７    加湿ユニット
８    気液分離装置
９    送気口
１０  二次熱交換器
１１  ノズル
１２  給水口
１３  プレート熱交換器
１４  電磁弁
１５  定流量弁
１６  流量制御弁
１７  熱動弁
１８  銅管
１９  開口部
２０  化粧パネル
２１  逃がし部
２２  貯水部
２３  リブ
２４  落下結露水受板
【図１】
2015055422.tif 000003
【図２】
2015055422.tif 000004
【図３】
2015055422.tif 000005
【図４】
2015055422.tif 000006
【図５】
2015055422.tif 000007